(57)【要約】      （修正有）【課題】遺体を特定しやすいと共に遺族感情に配慮できる遺体収納袋を提供する。【解決手段】遺体収納袋１０は平面略縦長長方形状に形成され、上記遺体収納袋本体１１には、長さ方向全域に沿って、幅方向の一側部寄りにファスナー部１７を設ける。上記ファスナー部１７の両端部には、ファスナー本体１８を被覆するカバー部１９、１９が設けられ、収納した遺体からの体液の、遺体収納袋本体１１の外部への浸出を防止する。また、遺体収納袋本体１１の長さ方向の略中央部であって、かつ幅方向の中央部には、収納されている遺体に関する情報を記載したメモ等を挿し入れるポケット部１２を設ける。上記ポケット部１２は、全体略長方形状で透明な合成樹脂により形成する。長さ方向の一端部には開口部１３が形成され、開口部１３が遺体収納袋本体１１の幅方向に沿って配置されるように遺体収納袋本体１１に固定され、開口部１３からメモ等をポケット部１２内に差し入れ可とする。【選択図】図１
0003173037.tif 000002
【実用新案登録請求の範囲】
【請求項１】
合成樹脂シートにより形成された遺体収納袋であって、遺体収納袋本体の外部には、収納されている遺体に関する情報を記載したメモ等を挿し入れるポケット部が設けられていることを特徴とする遺体収納袋。
【請求項２】
上記ポケット部は、透明な合成樹脂により形成されていることを特徴とする  請求項１記載の遺体収納袋。
【請求項３】
上記遺体収納袋本体には、遺体への献花を挿すことができる花挿部が設けられていることを特徴とする請求項１記載の遺体収納袋。
【請求項４】
上記花挿部は、上記ポケット部に連設されていることを特徴とする請求項  ３記載の遺体収納袋。
【請求項５】
上記遺体収納袋本体には、遺体の顔を確認するための窓部が形成されていることを特徴とする請求項３記載の遺体収納袋。
【請求項６】
上記遺体収納袋本体には、ファスナー部により開閉可能に形成された開口部が設けられ、上記ファスナー部には、ファスナー本体の端部を被覆するカバー部が設けられていることを特徴とする請求項５記載の遺体収納袋。
【考案の詳細な説明】
【技術分野】
【０００１】
本考案は、遺体収納袋の改良に関する。
【背景技術】
【０００２】
一般に、事故、災害等の遺体の収納には遺体収納袋が使用されている。
このような遺体収納袋は、形成された複数枚の合成樹脂製のシートを溶着すると共に、遺体を収納するための開口部を形成しうるように開閉可能なファスナーが取り付けられて形成されている。
【０００３】
遺体収納袋は、事故や災害現場において警察関係者により使用される場合が一般的であり、事故や災害の規模によっては多くの遺体を迅速に収納する必要がある。
【０００４】
また、遺体の収集が終了した場合には、所定の場所に遺体収納袋に収納された遺体を安置して、遺族の方による遺体特定が行われるが、この遺体特定作業において、遺体からの臭気の流出や、遺体の損傷状況の遺族への感情を考慮した場合、遺体収納袋を開けることなく、ファスナーを綴じた状態のままで遺体の顔が確認できる必要がある。
【０００５】
このような観点から、遺体の顔に対応する部位に透明な窓開口部が形成された遺体収納袋も提案されていた（特許文献１）。
【０００６】
しかしながら、従来より、より遺体を特定しやすいと共に、遺体に哀悼の意を表することができ、遺族感情に配慮できる遺体収納袋が望まれていた。
【考案の開示】
【考案が解決しようとする課題】
【０００７】
本考案はこのような従来からの不具合を解決するためのものであって、その課題は、遺体を特定しやく、遺体に哀悼の意を表することができると共に遺族感情に配慮できる遺体収納袋を提供することにある。
【課題を解決するための手段】
【０００８】
上記課題達成のため、請求項１記載の考案にあっては、合成樹脂シートにより形成された遺体収納袋であって、遺体収納袋本体の外部には、収納されている遺体に関する情報を記載したメモ等を挿し入れるポケット部が設けられていることを特徴とする。
【０００９】
従って、請求項１記載の考案にあっては、遺体が収納された状態で安置される遺体収納袋本体の外部には、収納されている遺体に関する情報を記載したメモ等を挿し入れるポケット部が設けられていることから、遺体に関する情報を記載したメモを外部から確認することができる。
【００１０】
請求項２記載の考案にあっては、上記ポケット部は、透明な合成樹脂により形成されていることを特徴とする。
【００１１】
従って、請求項２記載の考案にあっては、上記ポケット部は、透明な合成樹脂により形成されていることから、遺体に関する情報を記載したメモ等を外部から確認することができる。
【００１２】
請求項３記載の考案にあっては、上記遺体収納袋本体には、遺体への献花を挿すことができる花挿部が設けられていることを特徴とする。
【００１３】
従って、請求項３記載の考案にあっては、花挿部に遺体への献花を挿すことができる。
【００１４】
請求項４記載の考案にあっては、上記花挿部は、上記ポケット部に連設されていることを特徴とする。
【００１５】
従って、請求項４記載の考案にあっては、遺族はポケット部に収納された遺体に関する情報メモを確認する際に、献花を視認することができる。
【００１６】
請求項５記載の考案にあっては、上記遺体収納袋本体には、遺体の顔を確認するための窓部が形成されていることを特徴とする。
【００１７】
従って、請求項５記載の考案にあっては、上記窓部を介して、警察関係者又は遺族等が遺体を確認する場合に、ファスナーを開けることなく遺体の顔を、外部から確認することができる。
【００１８】
請求項６記載の考案にあっては、上記遺体収納袋本体には、遺体を収納する際に開く、ファスナー部により開閉可能に形成された開口部が設けられ、上記ファスナー部には、ファスナー本体の端部を被覆するカバー部が設けられていることを特徴とする。
【００１９】
従って、請求項６記載の考案にあっては、ファスナー部には、ファスナー本体の端部を被覆するカバー部が設けられていることから、遺体から体液が漏れ出た場合であっても、最も漏れ出る可能性のあるファスナー本体の端部を被覆するカバー部が設けられていることから、体液の流出を阻止することができる。
【考案の効果】
【００２０】
請求項１記載の考案にあっては、遺体収納袋本体の外部には、収納されている遺体に関する情報を記載したメモ等を挿し入れるポケット部が設けられていることから、遺体に関する情報を記載したメモを外部から確認することができるため、警察関係者及び遺族は、遺体の確認を行う際に、遺体収納袋本体を開放することなく、外部から容易かつ迅速に当該遺体に関する情報を確認し、遺体の特定を行うことができる。
【００２１】
請求項２記載の考案にあっては、請求項１記載の効果に加えて、上記ポケット部は、透明な合成樹脂により形成されていることから、遺体に関する情報を記載したメモ等を外部から確認することができるため、より容易かつ迅速に当該遺体の特定を行うことができる。
【００２２】
請求項３記載の考案にあっては、花挿部に遺体への献花を挿すことができることから、請求項１及び２記載の効果に加え、遺体への哀悼の意を表すことができると共に遺族の感情を配慮した遺体収納袋を提供することができる。
【００２３】
請求項４記載の考案にあっては、上記花挿部は、上記ポケット部に連設されていることから、遺族を含め、遺体を確認する際に、ポケット部に収納された遺体に関する情報メモを確認する際に、献花を視認することができるため、献花を確実に視認することができ、より自然に遺族の感情を和らげることができる。
【００２４】
請求項５記載の考案にあっては、上記遺体収納袋本体には、遺体の顔を確認するための開口部が形成されていることから、遺族を含め、遺体を確認する場合に、ファスナーを開けることなく遺体の顔を、外部から確認することができるため、遺体収納袋本体を開放した場合の、遺体の匂いの流出を防止することができる。
【００２５】
請求項６記載の考案にあっては、上記遺体収納袋本体のファスナー部には、ファスナー本体の端部を被覆するカバー部が設けられていることから、遺体から体液が漏れ出た場合であっても、最も漏れ出る可能性のあるファスナー本体の端部を被覆するカバー部が設けられていることから、体液の流出を阻止することができるため、より高品質な遺体収納作業を行うことができる遺体収納袋を提供することができる。
【図面の簡単な説明】
【００２６】
【図１】本考案に係る遺体収納袋の一実施の形態を示す斜視図である。
【図２】本考案に係る遺体収納袋の一実施の形態を示す斜視図である。
【考案を実施するための最良の形態】
【００２７】
以下、添付図面に示す実施の形態に基づき、本考案を詳細に説明する。
図１に示すように、本実施の形態に係る遺体収納袋１０は、２枚の合成樹脂シート２３、２３を周縁部２４において高周波溶着することより形成されている。
【００２８】
本実施の形態に係る遺体収納袋１０は平面略縦長長方形状に形成され、上記遺体収納袋本体１１には、長さ方向全域に沿って、幅方向の一側部寄りにファスナー部１７が設けられている。
上記ファスナー部１７の両端部には、ファスナー本体１８を被覆するカバー部１９、１９が設けられ、収納した遺体からの体液の、遺体収納袋本体１１の外部への浸出を防止できるように構成されている。
【００２９】
また、遺体収納袋本体１１の長さ方向の略中央部であって、かつ幅方向の中央部には、収納されている遺体に関する情報を記載したメモ等を挿し入れるポケット部１２が設けられている。
【００３０】
上記ポケット部１２は、全体略長方形状であって、透明な合成樹脂により形成されている。
長さ方向の一端部には開口部１３が形成され、開口部１３が遺体収納袋本体１１の幅方向に沿って配置されるように遺体収納袋本体１１に固定され、開口部１３からメモ等をポケット部１２内に差し入れることができるようになっている。
【００３１】
ポケット部１２の厚さ寸法は小さく形成され、遺体収納袋の搬送時にメモ等を挿しいれた場合でも脱落しないように形成されている。
【００３２】
また、上記ポケット部１２の長さ方向の他端部には遺体への献花を挿すことができる花挿部１４が設けられている。この花挿部１４もポケット部１２と同様に透明なビニール製であって、全体、遺体収納袋１１の長さ方向に一対の孔部２２、２２が形成される帯状に形成されている。
【００３３】
上記遺体収納袋本体１１には、遺体の顔を確認するための窓部１５が形成されている。この窓部１５は、遺体収納袋本体１１の長さ方向上部であって幅方向中間部に設けられ、全体方形状に形成され、上方には窓部１５を外方から被覆しうる長方形状のフラップ部１６が設けられている。
上記フラップ部１６は、上端部が遺体収納袋本体１１に固定されると共に、下端部は固定されず、窓部１５を被覆又は開放することができるように形成されている。
【００３４】
上記窓部１５の下方には面ファスナー部２０、２０が設けられると共に、上記フラップ部１６の下端部には上記面ファスナー部２０、２０に係合する面ファスナー部２１、２１が設けられている。
【００３５】
以下、本実施の形態に係る遺体収納袋１０の使用の仕方について説明する。
本実施の形態に係る遺体収納袋１０に遺体を収納する場合には、ファスナー部１７を開放して開口部を形成し、開口部を介して遺体を収納又は取り出しができるように構成されている。
【００３６】
遺体が収納された場合には、フラップ部１６の面ファスナー部２１、２１を窓部１５下方に設けられた面ファスナー部２０、２０に係合させ、窓部１５をフラップ部１６により被覆して、遺体が外方からは見えないようにすることができる。
【００３７】
警察関係者による作成された当該遺体に関するメモ、覚書等は、上記ポケット部１２内に収納することができる。この場合、ポケット部１２はポケット部１２の厚さ寸法は小さく形成され、遺体を収納した遺体収納袋１０の搬送時にメモ等を挿しいれた場合でも脱落しないように形成されている。
従って、この状態で遺体を安置場所に安置することができる。
【００３８】
遺体を遺体収納袋１０に収納して遺体安置場所に安置する際には、図２に示すように、花挿部１４に献花２５を挿すことができる。即ち、献花２５を花挿部１４の一対の孔部２２、２２に挿通させるように挿すことができる。
【００３９】
従って、花挿部１４に献花２５を挿した場合には、収納された遺体に哀悼の意を表すことができると共に、警察関係者及び、遺体の確認に来る親族等の感情を和らげることができる。
【００４０】
また、本実施の形態に係る遺体収納袋１０にあっては、遺体収納袋本体１１には窓部１５が形成され、遺体が収納された場合には、フラップ部１６により窓部１５が被覆されているが、警察関係者又は遺族の方々は、上記フラップ１６の面ファスナー部２１、２１と窓部１５下方に設けられた面ファスナー部２０、２０との係合を解除したフラップ部１６を開放し、窓部１５を介して、遺体の顔を確認することができる。
【００４１】
さらに、本実施の形態に係る遺体収納袋１０にあっては、上記ファスナー部１７の両端部には、ファスナー本体１８を被覆するカバー部１９、１９が設けられていることから、収納した遺体からの体液の、遺体収納袋本体１１外部への浸出を防止できる。
【産業上の利用可能性】
【００４２】
本考案は広く遺体収納袋に適用できることから、産業上の利用可能性を有している。
【符号の説明】
【００４３】
１０  遺体収納袋      
１１  遺体収納袋本体
１２  ポケット部
１３  開口部
１４  花挿部
１５  窓部
１６  フラップ部
１７  ファスナー部
１８  ファスナー本体
１９  カバー部
２０  面ファスナー部
２１  面ファスナー部
２２  孔部
２３  合成樹脂シート
２４  周縁部
２５  献花
【図１】
0003173037.tif 000003
【図２】
0003173037.tif 000004